(57)【要約】      （修正有）【課題】鼻水溜め室と弾性バルブと一方向弁とを含む鼻吸い器を提供する。【解決手段】鼻水溜め室は、本体２４とキャップ部２２と内部空間とを含み、該キャップ部２２が該本体２４に対して取り外し可能かつ気密に接続されることで、該内部空間を定義する。弾性バルブ３０は、該本体２４に対して取り外し可能かつ気密に接続される。該キャップ部２２は、該内部空間にまで延伸する第１管体を含み、該第１管体を通じて分泌物が該鼻水溜め室内に吸入されることができる。該本体２４は、第２管体を含み、該第２管体の該弾性バルブ３０と隣り合う開口部に一方向弁４０を設ける。【選択図】図１
0003202997.tif 000002
【実用新案登録請求の範囲】
【請求項１】
本体とキャップ部と内部空間とを含み、前記本体は、第１端と第２端とを有し、前記キャップ部が上端部と下端部とを有し、前記内部空間が上部と下部とを有し、且前記キャップ部は前記本体に対して取り外し可能かつ気密に接続されることで、前記内部空間を定義し、前記キャップ部の前記下端部は前記本体の前記第１端までに接続され、前記キャップ部は第１管体を含み、前記第１管体が第１開口部と第２開口部とを有し、前記第１開口部が前記キャップ部の前記上端部に位置し、前記第２開口部が前記内部空間の前記下部に位置し、且つ前記本体は第２管体を含み、前記第２管体が第３開口部と第４開口部とを有し、前記第３開口部が前記本体の前記第２端に位置し、前記第４開口部が前記内部空間の前記上部に位置する鼻水溜め室と、
開口端と排気口とを有し、前記開口端が前記本体の前記第２端に対して取り外し可能かつ気密に接続される弾性バルブと、
前記第３開口部に設けられる一方向弁と、を含むことを特徴とする鼻吸い器。
【請求項２】
前記第１管体及び前記第２管体が、非共軸であることを特徴とする請求項１に記載の鼻吸い器。
【請求項３】
前記第１管体の前記第１開口部に対して取り外し可能に接続する吸引ノズルを更に含むことを特徴とする請求項１に記載の鼻吸い器。
【請求項４】
前記弾性バルブの前記排気口は、割れ目とすることを特徴とする請求項１に記載の鼻吸い器。
【請求項５】
前記弾性バルブの前記排気口は、穴とすることを特徴とする請求項１に記載の鼻吸い器。
【請求項６】
前記鼻水溜め室の前記本体の素材は、ＡＢＳ樹脂とすることを特徴とする請求項１に記載の鼻吸い器。
【請求項７】
前記弾性バルブの素材は、シリコン又はゴムとすることを特徴とする請求項１に記載の鼻吸い器。
【請求項８】
前記本体と前記キャップ部の間に設けられるパッキンを更に含むことを特徴とする請求項１に記載の鼻吸い器。
【考案の詳細な説明】
【技術分野】
【０００１】
本考案は、鼻吸い器に関し、特に、手動鼻吸い器に関する。
【背景技術】
【０００２】
現在の手動鼻吸い器の手動吸引バルブは、通常同時に分泌物を吸い出す収納器となり、また少なくとも次の問題点が存在していた。（１）手動吸引バルブの材質が、通常高温殺菌に適さず、且つその形状も洗浄及び乾燥という困難も生じていた。及び（２）手動吸引バルブを繰り返し押して吸引している時、吸引バルブの分泌物或いは細菌を含有する水蒸気が吸入口から排出される恐れがある。
【考案の概要】
【考案が解決しようとする課題】
【０００３】
よって、上記問題点を克服するため、本分野ではやはり鼻吸い器を改良する必要がある。
【課題を解決するための手段】
【０００４】
本考案は、本体とキャップ部と内部空間とを含む鼻水溜め室と、弾性バルブと、一方向弁と、を包括する鼻吸い器を提供することである。
【０００５】
該鼻水溜め室の該本体は、第１端と第２端とを有し、該鼻水溜め室の該キャップ部が上端部と下端部とを有し、該内部空間が上部と下部とを有する。該キャップ部は、該本体に対して取り外し可能かつ気密に接続されることで、該内部空間を定義する。該キャップ部の該下端部は、該本体の該第１端までに接続される。該弾性バルブは、開口端と排気口とを有し、該開口端が該本体の該第２端に対して取り外し可能かつ気密に接続される。
【０００６】
このほかに、該鼻水溜め室の該キャップ部は、該内部空間にまで延伸する第１管体を含み、該第１管体を通じて分泌物が該鼻水溜め室内に吸入されることができる。該第１管体は、第１開口部と第２開口部とを有し、該第１開口部が該キャップ部の該上端部に位置し、該第２開口部が該内部空間の該下部に位置する。
【０００７】
該鼻水溜め室の該本体は、第２管体を含み、該第２管体が第３開口部と第４開口部とを有し、該第３開口部が該本体の該第２端に位置し、該第４開口部が該内部空間の該上部に位置する。該一方向弁は、該第３開口部に設けられ、該内部空間から該弾性バルブ内部までの気体の流動を許容しているが、逆方向の気体の流動を阻止する。
【０００８】
本考案の好ましい具体的実施例において、該第１管体及び該第２管体が非共軸である。
【０００９】
本考案によれば、該弾性バルブの素材は、いかなる適した弾性素材とすることができ、手動吸引バルブの効果を奏することができるだけでよい。本考案の特定の具体的実施例において、該弾性バルブの素材はシリコン又はゴムとする。
【００１０】
別の好ましい具体的実施例において、本考案の鼻吸い器は、該第１管体の該第１開口部に対して取り外し可能に接続する吸引ノズルを更に含む。
【００１１】
本考案の一具体的実施例によれば、該弾性バルブの該排気口は割れ目とする。該割れ目は、該弾性バルブが圧縮されて変形した時開口し、空気を排出する目的を達成し、該弾性バルブが圧縮されてから開放した時に閉じ、実質的な気密の効果を奏することができる。この具体的な実施例において、該弾性バルブの素材は、シリコン又はゴムとすることが好ましい。
【００１２】
別の具体的実施例において、該弾性バルブの該排気口は、穴とし、例えば、丸い穴とする。この具体的実施例において、該弾性バルブが圧縮されてから開放した時、吸引の強度を確保するため、利用者は手指で該穴を塞ぐことができる。
【００１３】
本考案の好ましい具体的実施例によれば、該鼻水溜め室の該本体の素材は、高温殺菌が許されるＡＢＳ樹脂とする。
【００１４】
本考案の更なる具体的実施例において、該鼻吸い器は、該本体と該キャップ部の間に設けられるパッキンを更に含む。
【００１５】
本考案の詳細な技術及び好ましい具体的実施例は、添付図面を基に次の通り記述し、当業者に出願する考案の特徴を理解してもらうことができる。
【図面の簡単な説明】
【００１６】
【図１】本考案の具体的実施例に基づいて描いた鼻吸い器の立体分解図である。
【図２Ａ】前記具体的実施例に基づいて描いた鼻水溜め室の立体図である。
【図２Ｂ】前記具体的実施例に基づいて描いた鼻水溜め室の断面図である。
【図３】前記具体的実施例に基づいて描いた鼻水溜め室の断面分解図である。
【考案を実施するための形態】
【００１７】
別途定義している場合を除き、本明細書内で使用されている全ての技術及び科学用語は、本考案の属する技術分野における技術専門家に、一般的に理解されている意味と同じである。
【００１８】
本明細書内に使用されている「一」という用語は、特別に明示されていない場合、少なくとも１個（１個以上）の数量を指す。
【００１９】
図１乃至図３を参照すると、本考案の鼻吸い器１００は、鼻水溜め室２０と弾性バルブ３０と一方向弁４０とを含む。該鼻水溜め室２０は、本体２４とキャップ部２２と内部空間Ｓ１とを含む。該本体２４は、第１端２４２と第２端２４４とを有し、該キャップ部２２が上端部２２２と下端部２２４とを有し、該内部空間Ｓ１が上部Ｓ１２と下部Ｓ１４とを有する。該キャップ部２２は、該本体２４に対して取り外し可能かつ気密に接続されることで、該内部空間Ｓ１を定義する。該キャップ部２２の該下端部２２４は、該本体２４の該第１端２４２までに接続される。該弾性バルブ３０は、開口端３２と排気口３４とを有し、該開口端３２が該本体２４的該第２端２４４に対して取り外し可能かつ気密に接続される。
【００２０】
図２Ｂ及び図３に示すように、該キャップ部２２は、第１管体２２１を含み、該第１管体２２１が第１開口部２２１２と第２開口部２２１４とを有し、該第１開口部２２１２が該キャップ部２２の該上端部２２２に位置し、該第２開口部２２１４が該内部空間Ｓ１の該下部Ｓ１４に位置する。該本体２４は、第２管体２４１を含み、該第２管体２４１が第３開口部２４１２と第４開口部２４１４とを有し、該第３開口部２４１２が該本体２４の該第２端２４４に位置し、該第４開口部２４１４が該内部空間Ｓ１の該上部Ｓ１２に位置する。該一方向弁４０は、該第３開口部２４１２に設けられ、該内部空間から該弾性バルブ内部までの気体の流動を許容しているが、逆方向の気体の流動を阻止する。この具体的実施例において、該第１管体２２１及び該第２管体２４１が非共軸である。
【００２１】
また、図１乃至図３を参照すると、この具体的実施例において、鼻吸い器１００はパッキン２６と吸引ノズル５０とを更に含む。該パッキン２６が該本体２４と該キャップ部２２の間に設けられ、該鼻水溜め室２０の該本体２４と該キャップ部２２の間の気密効果を増すために用いられる。該吸引ノズル５０は、該第１管体２２１の該第１開口部２２１２に対して取り外し可能に接続される。該吸引ノズル５０は、利用者の需要に応じて取り換えることができ、例えば、大人と子供が異なるサイズの吸引ノズル５０を使用できる。
【００２２】
本考案の属する技術の分野における通常の知識を有する者は、本明細書の記述に基づき、更なる説明を必要としないで、最大限で本考案を利用できると信じている。よって、提供する説明及び実用新案登録請求の範囲は、例示の目的で、いかなる方式で本考案の範囲を制限することはないことを理解するべきである。
【符号の説明】
【００２３】
１００    鼻吸い器
２０      鼻水溜め室
２２      キャップ部
２２１    第１管体
２２１２  第１開口部
２２１４  第２開口部
２２２    上端部
２２４    下端部
２４      本体
２４１    第２管体
２４１２  第３開口部
２４１４  第４開口部
２４２    第１端
２４４    第２端
２６      パッキン
３０      弾性バルブ
３２      開口端
３４      排気口
４０      一方向弁
５０      吸引ノズル
【図１】
0003202997.tif 000003
【図２Ａ】
0003202997.tif 000004
【図２Ｂ】
0003202997.tif 000005
【図３】
0003202997.tif 000006